(57)【要約】【課題】本発明は、ＦＰＣＢの干渉を減らしたスイングタイプ携帯端末機に関するものであって、ＦＰＣＢがスイング中心軸を過ぎていた伝統的な形態から外れて、その周辺部を過ぎるようにした構成によりＦＰＣＢによるヒンジ部位の干渉を最大限排除しながら製品のスリム化が具現できるようにしたものである。【解決手段】本発明は、メイン本体と、メイン本体の上側に設けられたカバーと、メイン本体に対してカバーが左右方向にスイング可能にメイン本体とカバーを連結するヒンジモジュールと、メイン本体とカバーに連結され、かつ、ヒンジモジュールとの干渉を減らすためにカバーのスイング中心軸を避けて、その周辺に連結されたＦＰＣＢを含んで構成されることを特徴とする。【選択図】図６
2009145958.tif 000002
【特許請求の範囲】
【請求項１】
メイン本体と、
前記メイン本体の上側に設けられたカバーと、
前記メイン本体に対して前記カバーが左右方向にスイング可能に前記メイン本体とカバーを連結するヒンジモジュールと、
前記メイン本体とカバーに連結され、かつ、前記ヒンジモジュールとの干渉を減らすために前記カバーのスイング中心軸を避けて、その周辺に連結されたＦＰＣＢを含んで構成されることを特徴とするＦＰＣＢの干渉を減らしたスイングタイプ携帯端末機。
【請求項２】
前記ヒンジモジュールは、
前記カバーと結合されて前記カバーのスイング時、左右方向に共に回転するカバー結合部材と、
前記メイン本体に固定されて前記カバー結合部材を回転可能に支持する支持部材と、
前記支持部材の下側であるメイン本体の内部に設けられ、かつ、前記ＦＰＣＢが内部を貫通しないように位置したハウジングと、
前記ハウジングの内部に設けられて前記カバーがスイングするように前記カバー結合部材に回転力を提供するスイングスプリングと、
を含むことを特徴とする請求項１記載のＦＰＣＢの干渉を減らしたスイングタイプ携帯端末機。
【請求項３】
前記カバー結合部材は中央から離れた周り部に前記ＦＰＣＢが貫通するＦＰＣＢ用貫通口を備え、前記支持部材は前記カバー結合部材の回転時にも前記ＦＰＣＢ用貫通口と常時連通されるように円弧方向に切欠された切欠部を備えることを特徴とする請求項２記載のＦＰＣＢの干渉を減らしたスイングタイプ携帯端末機。
【請求項４】
前記カバー結合部材は、
前記支持部材の上面に回転可能に結合され、前記ＦＰＣＢ用貫通口を有するスイング回転体と、
前記スイング回転体の上部に上下方向に回転可能に結合され、前記カバーと結合されて前記カバーの上下方向フォールディング時に共に回転するフォールディング回転体と、を含むことを特徴とする請求項３記載のＦＰＣＢの干渉を減らしたスイングタイプ携帯端末機。
【請求項５】
前記カバー結合部材は、前記スイング回転体に支持された状態で前記フォールディング回転体と結合されて前記カバーが閉じる方向に前記フォールディング回転体に回転力を提供するフォールディング回転体用スプリングを更に備えることを特徴とする請求項４記載のＦＰＣＢの干渉を減らしたスイングタイプ携帯端末機。
【請求項６】
前記フォールディング回転体が上方に一定角度回転すれば、相互間にかかりながら前記フォールディング回転体がこれ以上回転しないように抑制する一対の第１ストッパが前記スイング回転体の上面とフォールディング回転体の外側面に各々突出した形態で備えられたことを特徴とする請求項５記載のＦＰＣＢの干渉を減らしたスイングタイプ携帯端末機。
【請求項７】
前記フォールディング回転体が上方に一定角度回転した状態で前記スイング回転体が左方または右方に回転してカバーがスイングされた状態になれば、前記フォールディング回転体用スプリングが提供する回転力により相互面対面によく接して、前記フォールディング回転体が回転した状態をそのまま維持してくれる一対の第２ストッパが前記フォールディング回転体の外側面と支持部材の上面に各々備えられることを特徴とする請求項６記載のＦＰＣＢの干渉を減らしたスイングタイプ携帯端末機。
【請求項８】
前記スイング回転体の下部は前側部に半円型で形成された半円部と、後側部に前記半円部の最大前後幅及び左右幅と同一な幅を有して長方形で形成された四角部の組合からなり、
前記支持部材の上面には前記スイング回転体が一定角度回転すれば、前記スイング回転体の四角部を掛かりながらこれ以上のカバーのスイングを抑制する第３ストッパを備えることを特徴とする請求項６記載のＦＰＣＢの干渉を減らしたスイングタイプ携帯端末機。
【請求項９】
前記フォールディング回転体は左右に長いバー形態で形成され、前記スイング回転体の上部には前記フォールディング回転体が回転可能に貫通したフォールディング回転体用貫通口を有する結合片が備えられることを特徴とする請求項４記載のＦＰＣＢの干渉を減らしたスイングタイプ携帯端末機。
【請求項１０】
前記ハウジングは、前記カバーのスイング中心軸が中央部を長手方向に貫通するように位置したことを特徴とする請求項４乃至９のうち、いずれか１項記載のＦＰＣＢの干渉を減らしたスイングタイプ携帯端末機。
【請求項１１】
前記スイングスプリングは、螺旋形で繰り返して巻かれたトーションスプリングで備えられ、両端部が各々前記カバー結合部材とハウジングに結合されて巻かれた方向と同一な方向に巻かれたり、その反対方向に解けた状態で、前記カバーがスイングするように回転力を提供することを特徴とする請求項１０記載のＦＰＣＢの干渉を減らしたスイングタイプ携帯端末機。
【請求項１２】
前記カバーのスイング中心軸と一致するように設けられて、前記カバー結合部材、スイングスプリング、ハウジングの中央部を貫通した状態で、これらを相互回転可能に結合させるスイングシャフトを備えることを特徴とする請求項１０記載のＦＰＣＢの干渉を減らしたスイングタイプ携帯端末機。
【請求項１３】
前記ハウジングは、前記メイン本体内で前記カバーのスイング中心軸と直交した方向を長手方向にして設けられ、
前記スイングスプリングとカバー結合部材とを連結して前記スイングスプリングの弾性復原力と前記カバー結合部材の回転力を変換して伝達する連結部材を含むことを特徴とする請求項１０記載のＦＰＣＢの干渉を減らしたスイングタイプ携帯端末機。
【請求項１４】
前記連結部材は、
前記支持部材の下側であるメイン本体内に設けられ、一端が前記カバー結合部材の周り部とヒンジ結合されて前記カバーのスイング中心軸と直交した方向に進退する連結片と、
前記連結片とスイングスプリングとを連結する動力伝達シャフトと、を含んでなされ、
前記カバーがスイングされていない初期状態で前記スイングスプリングが圧縮された状態にありながら前記連結片及び動力伝達シャフトを通じて前記カバーのスイング方向に前記カバー結合部材に力を加えることを特徴とする請求項１３記載のＦＰＣＢの干渉を減らしたスイングタイプ携帯端末機。
【請求項１５】
前記カバー結合部材と連結片のヒンジ結合のために、前記カバー結合部材の下面の周り部には前記連結片の一端を貫通する結合用ピンを備え、
前記連結片の上側または下側に設けられて、前記カバーのスイング中心軸と一致した回転中心軸を有して回転し、周り部は前記結合用ピンにより前記連結片の一端とヒンジ結合されて前記連結片の一端の動きを円弧方向に案内する回転円板を更に備えることを特徴とする請求項１４記載のＦＰＣＢの干渉を減らしたスイングタイプ携帯端末機。
【請求項１６】
前記回転円板と連結片の結合点は、前記カバーがフォールディングされなくて、閉じている初期状態で前記スイングスプリングから最も遠い地点から前記カバーのスイング反対方向に一定角度片寄っていることを特徴とする請求項１５記載のＦＰＣＢの干渉を減らしたスイングタイプ携帯端末機。
【請求項１７】
前記支持部材の上面には後側に行くほど徐々に幅が狭くなる第１三角突起が備えられ、前記フォールディング回転体の外側面には前記第１三角突起と対応するように後側に行くほど徐々に幅が広くなる第２三角突起が備えられて、
前記カバーがフォールディングされなくて閉じた状態では、前記第１三角突起と第２三角突起が並んで斜辺を当接していてから、前記フォールディング回転体の上方回転時、前記第２三角突起の後側部の広い部位が前側に変位されながら前記スイング回転体がカバーのスイング方向に回転することを特徴とする請求項１６記載のＦＰＣＢの干渉を減らしたスイングタイプ携帯端末機。
【発明の詳細な説明】
【技術分野】
【０００１】
本発明は、携帯端末機に関し、特にＦＰＣＢがスイング中心軸を過ぎていた伝統的な形態から外れて、その周辺部を過ぎるようにした構成によりＦＰＣＢによるヒンジ部位の干渉を最大限排除しながら製品のスリム化が具現できるようにしたＦＰＣＢの干渉を減らしたスイングタイプ携帯端末機に関する。
【背景技術】
【０００２】
一般に、通信端末機は有無線通信端末機に区分されることができ、有線通信端末機は事務用や家庭用デスクタイプ電話機が代表的であり、無線通信端末機はＰＣＳ、セルラーフォンまたはＰＤＡが代表的な例であり、携帯端末機と称されている。
【０００３】
このような携帯端末機は、その技術の発達により単純な音声情報のみを伝達する段階を越えて、スクリーンを通じて文字情報、画像情報、ゲームなどの多様な画像サービスを使用者に提供する知能型マルチ端末機に変化してきた。その一例が多数の入力キーが本体に長方向に広く広まった形態で設けられて携帯電話は勿論、ＰＤＡなどの用途に本格的な文字入力に便利にした横構造のスイングタイプ携帯端末機である。
【０００４】
このようなタイプの携帯端末機は、本体１０に対してカバー２０を上方に略３０゜位押し開いた（フォールディング）後、左側または右側に回転（スイング）させる方式によりカバー２０を開くようになっている。このように、カバー２０が完全に開かれた状態では、図１を参照できるように、スクリーン２１が装着されたカバー２０の上面が前面に向けて上方に略１５０゜位反り返っている状態となる。このような状態はデスクに端末機を置いたままでキーパッドを通じて本格的に文字を入力しながら画面から提供される情報及びサービスを長時間確認したり楽しむことに適当である。したがって、携帯電話、ＰＤＡは勿論、最近脚光を浴びるＤＭＢ（Digital Multimedia Broadcasting）サービス及び携帯用マルチメディア機器（Personal Multimedia Player；ＰＭＰ）などの用途に広く使われやすい。
【０００５】
しかしながら、このような従来の携帯端末機は、本体１０とカバー２０を回路的に連結するＦＰＣＢがカバー２０のスイング時に変位される場合、捩れるとか、折り曲げられることを憂慮して伝統的にカバー２０のスイング中心軸と一致した中央部Ｃを貫通するように設けられる。したがって、ＦＰＣＢがカバー２０のスイング中心軸に集中的に配置されるヒンジモジュール３０の主要部品と位置が重なることになる。図２はカバー２０を本体１０にフォールディング及びスイング可能に結合させるヒンジモジュール３０の底面側を図示したものであって、ＦＰＣＢがカム器具の主要部品が受容されるハウジング３３の中央部Ｃを貫通していることを見られる。したがって、このような従来の構造によれば、ＦＰＣＢがハウジング３３の上部と下部に位置しながら各位置でＦＰＣＢの厚みだけ厚みの増加をもたらす。
【０００６】
のみならず、前記ＦＰＣＢが前記ハウジング３３の内部に設けられたカム器具の中央を貫通することになれば、前記カム器具の水平幅が増加することになるが、このようにカム器具の水平幅が増加することになれば、単にそこで終わらないで、垂直幅の増加も不回避になって結果的に製品の厚みが増える原因となる。
【０００７】
例えば、最近、最も大きい主流をなしているカバー２０の半自動開閉のためのカム器具は正弦波位相を有するカム曲線のカムプロファイルを備えている一対のカムが互いに対向して接触する。このようなカム器具のカム作用はカム曲線を有するカムプロファイルの接触によりなされるが、この際、前記カム器具の水平幅が広く形成されれば、同一な高さに対してカム曲線が緩やかに形成されながらカバー２０の開閉動作が相対的にのっぺりしてあり、不確実になされる。したがって、このような問題を避けるために前記カム器具の上下高さを増加させなければならなくて、これは製品の厚みの増加を引き起こした。
【０００８】
このように、従来には伝統的にＦＰＣＢがスイング中心軸と一致するように位置させた構成により製品全体の厚みが増加する致命的な要因として作用した。
【発明の開示】
【発明が解決しようとする課題】
【０００９】
本発明は、前記のような従来の諸問題を解消するために案出したものであって、本発明の目的は、ＦＰＣＢがヒンジ部位に対する干渉を最大限排除しながらＦＰＣＢがスイング中心軸でないその周辺部を過ぎるようにしたＦＰＣＢの干渉を減らしたスイングタイプ携帯端末機を提供することにある。
【課題を解決するための手段】
【００１０】
前記のような目的を達成するために、本発明の技術的思想によるＦＰＣＢの干渉を減らしたスイングタイプ携帯端末機は、メイン本体と、記メイン本体の上側に設けられたカバーと、前記メイン本体に対して前記カバーが左右方向にスイング可能に前記メイン本体とカバーを連結するヒンジモジュールと、前記メイン本体とカバーに連結され、かつ、前記ヒンジモジュールとの干渉を減らすために前記カバーのスイング中心軸を避けて、その周辺に連結されたＦＰＣＢを含んで構成されることをその技術的構成上の特徴とする。
【００１１】
ここで、前記ヒンジモジュールは、前記カバーと結合されて前記カバーのスイング時、左右方向に共に回転するカバー結合部材と、前記メイン本体に固定されて前記カバー結合部材を回転可能に支持する支持部材と、前記支持部材の下側であるメイン本体の内部に設けられ、かつ、前記ＦＰＣＢが内部を貫通しないように位置したハウジングと、前記ハウジングの内部に設けられて前記カバーがスイングするように前記カバー結合部材に回転力を提供するスイングスプリングと、を含むことを特徴とすることができる。
【００１２】
また、前記カバー結合部材は中央から離れた周り部に前記ＦＰＣＢが貫通するＦＰＣＢ用貫通口を備え、前記支持部材は前記カバー結合部材の回転時にも前記ＦＰＣＢ用貫通口と常時連通されるように円弧方向に切欠された切欠部を備えることを特徴とすることができる。
【００１３】
また、前記カバー結合部材は、前記支持部材の上面に回転可能に結合され、前記ＦＰＣＢ用貫通口を有するスイング回転体と、前記スイング回転体の上部に上下方向に回転可能に結合され、前記カバーと結合されて前記カバーの上下方向フォールディング時に共に回転するフォールディング回転体と、を含むことを特徴とすることができる。
【００１４】
また、前記カバー結合部材は、前記スイング回転体に支持された状態で前記フォールディング回転体と結合されて前記カバーが閉じる方向に前記フォールディング回転体に回転力を提供するフォールディング回転体用スプリングを更に備えることを特徴とすることができる。
【００１５】
また、前記フォールディング回転体が上方に一定角度回転すれば、相互間にかかりながら前記フォールディング回転体がこれ以上回転しないように抑制する一対の第１ストッパが前記スイング回転体の上面とフォールディング回転体の外側面に各々突出した形態で備えられたことを特徴とすることができる。
【００１６】
また、前記フォールディング回転体が上方に一定角度回転した状態で前記スイング回転体が左方または右方に回転してカバーがスイングされた状態になれば、前記フォールディング回転体用スプリングが提供する回転力により相互面対面によく接して、前記フォールディング回転体が回転した状態をそのまま維持してくれる一対の第２ストッパが前記フォールディング回転体の外側面と支持部材の上面に各々備えられることを特徴とすることができる。
【００１７】
また、前記スイング回転体の下部は前側部に半円型で形成された半円部と、後側部に前記半円部の最大前後幅及び左右幅と同一な幅を有して長方形で形成された四角部の組合からなり、前記支持部材の上面には前記スイング回転体が一定角度回転すれば、前記スイング回転体の四角部を掛かりながらこれ以上のカバーのスイングを抑制する第３ストッパを備えることを特徴とすることができる。
【００１８】
また、前記フォールディング回転体は左右に長いバー形態で形成され、前記スイング回転体の上部には前記フォールディング回転体が回転可能に貫通したフォールディング回転体用貫通口を有する結合片が備えられることを特徴とすることができる。
【００１９】
また、前記ハウジングは、前記カバーのスイング中心軸が中央部を長手方向に貫通するように位置したことを特徴とすることができる。
【００２０】
また、前記スイングスプリングは、螺旋形で繰り返して巻かれたトーションスプリングで備えられ、両端部が各々前記カバー結合部材とハウジングに結合されて巻かれた方向と同一な方向に巻かれたり、その反対方向に解けた状態で、前記カバーがスイングするように回転力を提供することを特徴とすることができる。
【００２１】
また、前記カバーのスイング中心軸と一致するように設けられて、前記カバー結合部材、スイングスプリング、ハウジングの中央部を貫通した状態で、これらを相互回転可能に結合させるスイングシャフトを備えることを特徴とすることができる。
【００２２】
また、前記ハウジングは、前記メイン本体内で前記カバーのスイング中心軸と直交した方向を長手方向にして設けられ、前記スイングスプリングとカバー結合部材とを連結して前記スイングスプリングの弾性復原力と前記カバー結合部材の回転力を変換して伝達する連結部材を含むことを特徴とすることができる。
【００２３】
また、前記連結部材は、前記支持部材の下側であるメイン本体内に設けられ、一端が前記カバー結合部材の周り部とヒンジ結合されて前記カバーのスイング中心軸と直交した方向に進退する連結片と、前記連結片とスイングスプリングを連結する動力伝達シャフトとを含んでなされ、前記カバーがスイングされていない初期状態で前記スイングスプリングが圧縮された状態にありながら前記連結片及び動力伝達シャフトを通じて前記カバーのスイング方向に前記カバー結合部材に力を加えることを特徴とすることができる。
【００２４】
また、前記カバー結合部材と連結片のヒンジ結合のために、前記カバー結合部材の下面の周り部には前記連結片の一端を貫通する結合用ピンを備え、前記連結片の上側または下側に設けられて、前記カバーのスイング中心軸と一致した回転中心軸を有して回転し、周り部は前記結合用ピンにより前記連結片の一端とヒンジ結合されて前記連結片の一端の動きを円弧方向に案内する回転円板を更に備えることを特徴とすることができる。
【００２５】
また、前記回転円板と連結片の結合点は、前記カバーがフォールディングされなくて、閉じている初期状態で前記スイングスプリングから最も遠い地点から前記カバーのスイング反対方向に一定角度片寄っていることを特徴とすることができる。
【００２６】
また、前記支持部材の上面には後側に行くほど徐々に幅が狭くなる第１三角突起が備えられ、前記フォールディング回転体の外側面には前記第１三角突起と対応するように後側に行くほど徐々に幅が広くなる第２三角突起が備えられて、前記カバーがフォールディングされなくて閉じた状態では、前記第１三角突起と第２三角突起が並んで斜辺を当接していてから、前記フォールディング回転体の上方回転時、前記第２三角突起の後側部の広い部位が前側に変位されながら前記スイング回転体がカバーのスイング方向に回転することを特徴とすることができる。
【発明の効果】
【００２７】
以上、説明したように、本発明によるＦＰＣＢの干渉を減らしたスイングタイプ携帯端末機はＦＰＣＢがスイング中心軸を過ぎていた伝統的な形態から外れて、その周辺部を過ぎるようにしてＦＰＣＢによるヒンジ部位の干渉を最大限排除しながら製品のスリム化を具現することができる。
【００２８】
また、本発明は、カバースイングに関与するスプリングを受容する関係で、ほぼ必須的に備えられるハウジングがカバーのスイング中心軸を避けた位置で水平するように倒れた形態で設けられて製品の厚みを一層縮めることができる。
【００２９】
また、本発明は別途の構成要素なしに、必須的な構成要素に簡単に形成されたストッパと簡単なスプリングを付加した構成によりカバーの開閉動作が非常に安定的になされることは勿論、カバーが開閉された状態を安定的に維持することができる。
【発明を実施するための最良の形態】
【００３０】
以下、前記のような本発明の技術的思想に係る実施形態を添付した図面を参照しつつ具体的に説明すれば、次の通りである。
【００３１】
（実施形態）
図３及び図４は、本発明による携帯端末機の開閉状態を示す使用状態図である。 
【００３２】
図示したように、本発明の携帯端末機は左右幅が広くてメイン本体１００に対してカバー２００が上方に回転（フォールディング）して３０゜位の角度で開いた後（図３参照）に左側または右側に１８０゜位回転（スイング）して完全に開かれる（図４参照）スイングタイプの携帯端末機である。このように完全に開かれた状態では図４が参照できるように、スクリーン２１０が設けられたカバー２００の上面があたかも１５０゜位そり返った状態で全面の上側に向けている。このような状態ではスクリーン２１０から提供される各種情報及びサービスを提供受けながらメイン本体１００の上面に設けられた、一名クォーティーキーパッド（qwerty key pad）１１０をはじめとして左右側に設けられているナビゲーションキー等、各種キー１２０、１３０を操作することに便利である。
【００３３】
このように本発明は、外形的には従来の横構造を有するスイングタイプの携帯端末機とあまり違わないように見えることができる。しかしながら、その内部を見れば、前記メイン本体１００とカバー２００との間を回路的に連結するＦＰＣＢ（Flexible Printed Circuits Board：軟性回路基板）が前記カバー２００のスイング中心軸（カバーがメイン本体に対してスイング時に中心となる仮想の回転中心軸であり、説明の便宜のために、本発明の携帯端末機が水平に置かれてあり、前記回転中心軸は垂直に形成されたことと見做す）を通じて設けられていた伝統的な構成から外れて、カバー２００の前記スイング中心軸でないその周辺部を過ぎるように設けられるようにした構成を有する。このような構成によれば、メイン本体１００に対してカバー２００をスイング可能に結合させながら製品の厚みを決定づけるヒンジモジュールのメイン部品が配置される位置を避けられることになって、製品の厚みを縮めることに非常に有利になる。
【００３４】
併せて、本発明は、別途の複雑な構成を有する構成要素なしにも単に一体型の簡単なストッパを備える構成によりカバー２００の開閉動作を安定的になすと共に、カバーの開閉された状態を安定的に維持する面でも有利である。
【００３５】
以下、本発明によるＦＰＣＢの干渉を減らしたスイングタイプ携帯端末機の構成を詳細に説明する。
【００３６】
図５は本発明の一部分解斜視図であり、図６は本発明に係るヒンジモジュールの構成を説明するためのヒンジモジュールの分解斜視図であり、図７及び図８は本発明に係るフォールディング回転体の構成を説明するためのフォールディング回転体の斜視図及びその側面図である。
【００３７】
図示したように、本発明は、メイン本体１００とカバー２００、前記メイン本体１００とカバー２００を上下方向回転（フォールディング）及び左右方向回転（スイング）可能に結合させるヒンジモジュール３００から構成される。図５を参照して説明すれば、ＦＰＣＢがカバー２００の回転中心軸と一致するように形成されたヒンジモジュール３００の中央部Ｃをそのまま貫通していた従来方式から外れていることを見られる。即ち、ＦＰＣＢがヒンジモジュール３００の中央部Ｃでないその周辺部を通じてメイン本体１００及びカバー２００に連結される。このように製品の厚みを事実上決定づけるメイン部品が集結される部位である回転中心軸を避けて製品の厚みに影響を及ぼさないその周辺部を活用してＦＰＣＢを配置することで、ＦＰＣＢによる製品の厚みの増加を防げるものである。しかしながら、本発明では前記ＦＰＣＢがカバーの回転中心軸を貫通しない時に憂慮されていたＦＰＣＢの甚だしい捩れや折曲現象が全くないように構成される。
【００３８】
下記では前記のようにカバー２００の回転中心軸を回避してＦＰＣＢを設置することができるようにしたヒンジモジュール３００の構成を説明する。
【００３９】
前記ヒンジモジュール３００は、スイング回転体３２０、フォールディング回転体３４０Ａ、３４０Ｂ及びフォールディング回転体用スプリング３５０からなるカバー結合部材と、前記カバー結合部材を支持する支持部材３１０、前記カバー結合部材に左右方向に回転力を提供するスイングスプリング３３０を受容するハウジング３１２、スイングシャフト３１５及びスイングスプリング３３０を含む。これらの各々の構成要素を説明すれば、次の通りである。
【００４０】
前記フォールディング回転体３４０Ａ、３４０Ｂと共にカバー結合部材をなしているスイング回転体３２０は、前記支持部材３１０の上面に回転可能に載せられて結合される。この際、前記スイング回転体３２０と支持部材３１０との間には相互間の摩擦損傷を減らすためのＰＯＭ（polyoxymethylene）材質の摩擦防止用リング３２９が備えられることが好ましい。前記スイング回転体３２０の中央にはカバー２００の回転中心軸と一致するように形成されてスイングシャフト３１５が貫通する中央ホール３２３とその周辺にＦＰＣＢが貫通するＦＰＣＢ用貫通口３２１が備えられる。ここで、前記ＦＰＣＢ用貫通口３２１はＦＰＣＢの形態に対応して狭い幅で長く形成される。このように、前記スイング回転体３２０の中央部を避けて周辺部に形成されたＦＰＣＢ用貫通口３２１はカバー２００のスイングの際、前記中央ホール３２３を中心に円弧方向に沿って移動することになり、この時に貫通されているＦＰＣＢも共に移動する。しかしながら、前記ＦＰＣＢ用貫通口３２１の移動に発生されるＦＰＣＢの移動距離やこれによる余裕分は僅かな水準である。したがって、前記ＦＰＣＢが前記貫通口３２１に拘束された状態でスイング回転体３２０の円弧方向にいくらか移動しても捩れたり甚だしく折り曲げられて損傷を受けることはない。一方、前記スイング回転体３２０の上面にはフォールディング回転体に備えられた第１ストッパ３４５と共に対をなしながらフォールディング回転体３４０Ａ、３４０Ｂの過度な回転を防止する第１ストッパ３２２が備えられる。このようなストッパに対しては今後に詳細に説明する。
【００４１】
前記フォールディング回転体３４０Ａ、３４０Ｂは、前記スイング回転体３２０の上部に上下方向（カバー２００のフォールディング方向）に回転可能に結合される。前記フォールディング回転体３４０Ａ、３４０Ｂとスイング回転体３２０の回転可能な結合のために、前記フォールディング回転体３４０Ａ、３４０Ｂは左右に長いバー形態で形成され、前記スイング回転体３２０の上部には前記フォールディング回転体３４０Ａ、３４０Ｂが回転可能に貫通されるフォールディング回転体用貫通口３２５Ａ、３２６Ａを有する結合片３２５、３２６が備えられる。ここで、フォールディング回転体３４０Ａ、３４０Ｂは左右に１つずつ２つ一対からなり、この中の１つのフォールディング回転体３４０Ａには前記フォールディング回転体用貫通口３２５Ａ、３２６Ａを貫通するための長い形態の挿入部３４３を有し、反対側に備えられるもう１つのフォールディング回転体３４０Ｂには前記挿入部３４３が挟まれる挿入ホールが形成される。この際、前記挿入部３４３には扁平面からなる端部３４３Ａが挿入部３４３の長手方向に沿って形成され、前記挿入ホールはこのような形態を有する挿入部に符合した形態でなされる。これはフォールディング回転体３４０Ａ、３４０Ｂが相互結合された状態で空回転されることを防止するためである。
【００４２】
前記スイング回転体３２０及びフォールディング回転体３４０Ａ、３４０Ｂと共にカバー結合部材に含まれているフォールディング回転体用スプリング３５０は、前記スイング回転体３２０に支持された状態で前記フォールディング回転体３４０Ａ、３４０Ｂと結合されて、前記フォールディング回転体３４０Ａ、３４０Ｂの回転時、カバー２００が閉められる方向に回転力を提供するトーションスプリングで備えられる。このように備えられたフォールディング回転体用スプリング３５０は、カバー２００の開閉過程でカバー２００が不安定に揺れないようにし、カバー２００のスイングまで完了した状態では第２ストッパ３１４、３４４と共に協力して、より安定的に開いた状態を維持するようにしてくれる。
【００４３】
前記支持部材３１０は、前記メイン本体１００の上面後側部に設けられて前記カバー結合部材をはじめとするヒンジモジュール３００の全体を支持する役割をする。このために、前記支持部材３１０は全体的に四角のプレート形態でなされて、メイン本体１００の上面後側部に形成された開口部に安着して結合される（図５参照）。また、前記支持部材３１０のハウジング３１２の開口された上部と連通される円形の通孔３１２Ａが形成される。前記円形の通孔３１２Ａにはスイング回転体３２０の下部に形成された定着用円形突起３２８が回転可能な状態で挿入されて安着する。これで、前記支持部材３１０にスイング回転体３２０が安定した状態で回転可能に結合される。前記支持部材３１０の円形通孔３１２Ａの真横には円弧方向に沿って切欠された切欠部３１３が備えられる。前記切欠部３１３はカバー２００のスイングによるスイング回転体３２０の回転にも関わらず、ＦＰＣＢ用貫通口３２１と常時連通されるように円弧状で長く形成される。これで、カバー結合部材の左右方向回転の際、ＦＰＣＢが前記ＦＰＣＢ用貫通口３２１に拘束されて共に移動しながらも前記切欠部３１３を通じて前記メイン本体１００の内部に自然に引入された状態が維持できることになり、ＦＰＣＢが移動する過程で捩れや甚だしい折曲により損傷することがない。
【００４４】
前記支持部材３１０の上面にはフォールディング回転体３４０Ａ、３４０Ｂに備えられた第２ストッパ３４４と対をなして相互作用する第２ストッパ３１４が形成される。前記一対の第２ストッパ３１４、３４４はフォールディング回転体３４０Ａ、３４０Ｂが上方に３０゜回転した状態でスイング回転体３２０が左方または右方に１８０゜回転することになれば、相互面対面で接しながら、前記フォールディング回転体３４０Ａ、３４０Ｂの回転した状態をそのまま維持することができる。
【００４５】
のみならず、カバー２００のスイングによりスイング回転体３２０が左右方向に回転した状態をそのまま維持しながら過度なスイングを抑制するための第３ストッパ３１６が更に備えられる。前記第３ストッパ３１６は前後方向に長い突起形態をなしている。このような第３ストッパ３１６は、前記スイング回転体３２０の下部形態と対応して作用することになる。即ち、前記スイング回転体３２０は前側部が半円型で形成されて前記第３ストッパ３１６の妨害を受けないで自由に回転できるが、スイング回転体３２０の後側部は前記前側部の前後及び左右方向の最大幅と同一な幅を有する長方形で形成されて１８０゜回転することになれば、前記第３ストッパに係止されて過度なカバーのスイングが抑制できる。これに対しては図面を参照して後述する。
【００４６】
前記ハウジング３１２は上部が開口された円筒形容器であって、支持部材３１０に形成された円形の通孔３１２Ａと連通されるように上段が支持部材３１０に結合される。前記ハウジング３１２の底面にはスイングシャフト３１５が貫通できる小さな円形の貫通孔が形成される。
【００４７】
前記スイングシャフト３１５は、前記カバー２００のスイング中心軸と一致するように設けられて、前記スイング回転体３２０、スイングスプリング３３０、ハウジング３１２の中央部を貫通しながらこれらを相互間に対して回転可能に結合させる。前記スイングシャフト３１５の端部には周りに沿って凹んで凹入されてイヤリング（ear-ring）が安定するように挟まれる凹入溝３１５Ａが形成される。このように、前記スイングシャフト３１５の端部にイヤリングが挟まれれば、前記スイングシャフト３１５がスイング回転体３２０、スイングスプリング３３０、ハウジング３１２を貫通した状態から離脱しない。
【００４８】
前記スイングスプリング３３０は、前記ハウジング３１２の内部に設けられて前記カバー２００のスイング方向に前記スイング回転体３２０に回転力を提供する役割をする。前記スイングスプリング３３０は螺旋形で繰り返して巻かれたトーションスプリングとして備えられて、両端部３３０Ａ、３３０Ｂは各々前記ハウジング３１２とスイング回転体３２０に形成された小さな固定用通孔３１２Ｂ、３２４に挟まれる。これで、前記スイングスプリング３３０は、前記カバー２００の左右方向スイングの際、巻かれた方向と同一な方向に巻かれたり、その反対方向に解けた状態で前記カバー２００がスイングされる方向に回転力を与える。
【００４９】
図９は本発明に係るカバーが閉じた状態の参照図であり、図１０は本発明に係るカバーが上方に一定角度回転した状態の参照図であり、図１１は図１０のＡ−Ａ’による断面図である。そして、図１２は本発明に係るカバーがスイングして完全に開かれた状態の参照図であり、図１３は図１２のＢ−Ｂ’による断面図であり、図１４は本発明に係る第３ストッパの作用を説明するための参照図である。
【００５０】
図９のように、カバー２００が完全に閉じた状態で外力により３０゜位上方に回転することになれば、図１０のように、カバー２００がフォールディングして半分程度開かれた状態となる。この際、図１１を参照すれば、フォールディング回転体３４０Ａの外側面に突出した形態で備えられた第１ストッパ３４５がスイング回転体３２０の上面に備えられた第１ストッパ３２２の斜面３２２Ａに噛み合って接触することになる。これで、カバー２００がこれ以上上方に回転しない。
【００５１】
以後、カバー２００が前記のように上方に一定角度開かれた状態でカバー２００を左側または右側（図面では右側に）１８０゜位スイングさせれば、支持部材３１０に対してスイング回転体３２０が自動で回転して、図１２のように、カバー２００が完全に開かれた状態となる。このように、カバー２００が完全に開かれた状態になればスクリーン２１０が全面の上部に向かうことになる。この際、図１３を参照すれば、支持部材３１０の上面とフォールディング回転体３４０Ａ、３４０Ｂの外側面に備えられた一対の第２ストッパ３１４、３４４が面３１４Ａ対面３４０Ａに相互間に対応して接することになる。この状態では前記フォールディング回転体用スプリング３５０により一対の第２ストッパ３１４、３４４が互いに噛み合おうとする傾向を安定的に有することになる。
【００５２】
のみならず、外力の助けなしにも、前記カバー２００がスイングされて開かれた状態をそのまま維持できることになるが、これは第３ストッパ３１６とスイング回転体３２０の形状で可能になる。即ち、図１４を参照すれば、前記第３ストッパ３１６は前後方向に長い突起形態をなしている。このような第３ストッパ３１６は、前記スイング回転体３２０の下部形態と対応して作用することになる。即ち、前記スイング回転体３２０の下部は前側部が半円型で形成された半円部３２０Ａと前記半円部３２０Ａの最大前後幅及び左右幅を有する長方形で形成された四角部３２０Ｂの組合からなる。したがって、前記スイング回転体３２０が回転することになれば、前記半円部３２０Ａが前記第３ストッパ３１６を隣接して過ぎる間にはかからないが、１８０゜回転してカバー２００のスイングが完了すれば前記四角部３２０Ｂの辺が前記第３ストッパにかかりながら、これ以上のスイングは不可能になる。
【００５３】
本発明は、このように簡単に備えられたストッパ３２２、３４５及び３１４、３４４、３１６とフォールディング回転体用スプリング３５０によりカバー２００の開閉が揺れなしに安定的になされることは勿論、カバー２００が開閉された状態を維持する面でも安定的になる。
【００５４】
一方、図９乃至図１３を通じてカバー２００の開閉時にＦＰＣＢに捩れや甚だしい折曲が起こらないで、自然な動きを有することも確認することができる。
【００５５】
図１５は本発明の変形実施形態に係るヒンジモジュールの分解斜視図であり、図１６乃至図１９は本発明の変形実施形態に係るヒンジモジュールの動作を示す参照図である。
【００５６】
図示したように、本発明の変形実施形態では、ハウジング４１２がカバー２００のスイング中心軸と直交した方向を長手方向にして設けられることを技術的特徴とする。このように、前記ハウジング４１２がカバー２００のスイング中心軸から外れて水平するように倒れた形態で設けられれば、ハウジング４１２による製品の厚みの増加の原因を除去し、製品のスリム化をなすことに有利になる。このような変形実施形態の構成を説明すれば、次の通りである。但し、説明の便宜のために、変形前の構成と比較して類似または同一な構成要素の場合、同一な図面符号が与えられている。
【００５７】
変形実施形態に係る本発明において、ヒンジモジュールは、カバー結合部材、支持部材３１０、ハウジング４１２、スイングスプリング４３０、及び連結部材を含む。
【００５８】
前記ハウジング４１２は、前述したように、メイン本体１００内で前記カバー２００のスイング中心軸と直交した方向を長手方向にして水平するように倒れた形態で設けられる。そして、その内部にはスイングスプリング４３０が設けられる。スイングスプリング４３０は変形前と異に、圧縮スプリングで備えられて圧縮された状態でカバー２００がスイングされようとする傾向を有するように力を提供する。
【００５９】
前記連結部材は、前記スイングスプリング４３０とカバー結合部材を連結しながらその中間で前記スイングスプリング４３０が弾性復原力により原に復しようとする傾向を回転力に転換して前記カバー結合部材のスイング回転体３２０に伝達する役割をする。このために、前記連結部材は、連結片４７０と、動力伝達シャフト４１５と、回転円板４８０とを含んで構成される。
【００６０】
前記連結部材の連結片４７０は、前記支持部材３１０の下側に水平するように設けられて、一端４７１と他端４７３が各々前記スイング回転体３２０の周り部に形成された結合用ピン４７６と動力伝達シャフト４１５にヒンジ結合される。これで、前記連結片４７０は左右方向に回転するスイング回転体３２０と水平方向に進退する動力伝達シャフト４１５との間で回転運動を直線運動に、直線運動を回転運動に円滑に変換する役割をする。
【００６１】
前記回転円板４８０は、メイン本体１００内でスイングシャフト３１５により中心孔４８０Ａを通じて中央部が回転可能に貫通されてカバー２００のスイング中心軸と一致した回転中心軸に回転する。前記回転円板４８０の周り部は、前記スイング回転体３２０に形成された結合用ピン４７６（図１４のＳ領域参照）が貫通される周り孔４８０Ｂを備える。前記結合用ピン４７６は、前記回転円板４８０の周り部を貫通したままで前記連結片４７０の一端４７１とヒンジ結合される。このような構成の回転円板４８０が備われば、図１６乃至図１９に示すように、進退する前記連結片４７０の一端４７１の動きが円弧を描く軌跡を有するように安定的に案内できることになる。図１６はカバー２００がフォールディングされる前の完全に閉じた状態を、図１６はカバー２００が３０゜フォールディングされながら１５゜スイングされた状態を、図１７はカバー２００が１８０゜スイングして回転して完全に開かれた状態を示している。ここで、前記カバー２００がフォールディングされる前の初期状態で回転円板４８０はスイングされる反対側に５゜位片寄っていることを見ることができる。即ち、前記回転円板４８０と連結片４７０の結合点（Ｈ２）が前記スイングスプリングから最も遠い地点から前記カバーのスイング反対方向に５゜位片寄っている。このように、前記回転円板４８０がフォールディングされる前にスイング反対方向に片寄っていると、カバー２００がフォールディングされる前のスイングスプリング４３０にスイングされようとする傾向を有しないように保護できることになる。このような初期状態のセッティングのためには、前記スイング回転体３２０の生産時に前記スイング回転体３２０の下部に備えられる結合用ピン４７６の位置を調節しさえすればよい。参考に、図面符号Ｈ２は、前記連結体４７０と動力伝達シャフト４１５との間の結合点である。
【００６２】
また、図１５のＴ領域と図１８を参照すれば、前記支持部材３１０の上面には後側に行くほど幅が狭くなる第１三角突起３１６が備えられ、前記フォールディング回転体３４０Ａの外側面には前記第１三角突起３１６と対応するように後側に行くほど幅が広くなる第２三角突起３４６が備えられる。このような構成によれば、前記カバー２００がフォールディングされなくて、閉じた状態では、前記第１三角突起３１６と第２三角突起３４６が並んで斜辺を当接している（図１５のＴ領域参照）。この時には、前記第１三角突起３１６の広い部位３１６Ｂと狭い部位３１６Ａが各々前記第２三角突起３４６の狭い部位３４６Ａと広い部位３４６Ｂに対応して位置しながら安定に接している状態である。しかしながら、図１８のように、前記カバー２００が３０゜フォールディングされてフォールディング回転体３４０Ａ、３４０Ｂが上方に回転することになれば、前記第２三角突起３４６の広い部位が前側に変位される。しかしながら、この際、前記第２三角突起の広い部位３４６Ｂと第１三角突起３１６の狭い部位３１６Ａは続けて相互間の対応する位置を守ろうとする傾向を有する。これによって、前記スイング回転体３２０がカバーのスイング方向に１５゜位回転することになる。すると、図１６から図１７のような状態に変化されてスイング回転体３２０はスイングスプリング４３０の力により自動でスイングされる。このように、前記第１三角突起３１６及び第２三角突起３４６によりカバー２００が３０゜フォールディングされれば、自動でスイングまでなされる。
【００６３】
一方、前記回転円板４８０による摩擦が防止できるように、ＰＯＭ材質の嵌入リング４９０が更に備えられる。前記嵌入リング４９０は、前記スイング回転体３２０を支持部材３１０に回転可能な状態で安定するように結合させる役割をしながら周辺部品との摩擦による損傷を減らしてくれる。特に、最も多い接触をする回転円板４８０との摩擦を減らすことに有用である。
【００６４】
前記動力伝達シャフト４１５は圧縮スプリングで備えられる前記スイングスプリング４３０により引かれる傾向を有し、前記連結片４７０の他端４７３とヒンジ結合される。前記動力伝達シャフト４１５は、前記スイングスプリング４３０と安定的に接触して力を提供受けることができるように、その外側に前記スイングスプリング４３０が挟まれるように設けられて、その反対側の端部は貫通口４１３Ａを通じて案内片４１３を貫通した状態で凹入溝４１５Ａに挟まれるイヤリング（ear-ring）により結合される。このような構成によれば、前記動力伝達シャフト４１５の進退時、前記案内片４１３が共に進退しながら前記スイングスプリングの弾性復原力を前記連結片４７０を通じてスイング回転体３２０に伝達することになる。
【００６５】
変形実施形態に係る本発明で詳細に説明された前記構成要素の他に、残りの構成要素であるカバー結合部材、支持部材３１０などの残りの構成は変形前の構成と大同小異であるので、詳細な構成説明は省略する。
【００６６】
このように変形実施形態では、ハウジング４１２がカバー２００の回転中心軸を避けて設けられる構成をなすことになって、ＦＰＣＢがカバー２００の回転中心軸を回避するように配置された構成と共に、製品のスリム化を具現することに一層有利である。
【００６７】
以上、本発明の好ましい実施形態を説明したが、本発明は多様な変化と変更及び均等物を使用することができる。本発明は、前記実施形態を適切に変形して同一に応用できることが明確である。したがって、前記記載内容は特許請求範囲の限界により定まる本発明の範囲を限るのでない。
【図面の簡単な説明】
【００６８】
【図１】従来技術による携帯端末機の開閉された状態を示す参照図である。
【図２】従来技術による携帯端末機のヒンジモジュールを説明するための参照斜視図である。
【図３】本発明による携帯端末機の開閉状態を示す使用状態図である。
【図４】本発明による携帯端末機の開閉状態を示す使用状態図である。
【図５】本発明の一部分解斜視図である。
【図６】本発明に係るヒンジモジュールの構成を説明するためのヒンジモジュールの分解斜視図である。
【図７】本発明に係るフォールディング回転体の構成を説明するためのフォールディング回転体の斜視図及びその側面図である。
【図８】本発明に係るフォールディング回転体の構成を説明するためのフォールディング回転体の斜視図及びその側面図である。
【図９】本発明に係るカバーが閉じた状態の参照図である。
【図１０】本発明に係るカバーが上方に一定角度回転した状態の参照図である。
【図１１】図１０のＡ−Ａ’による断面図である。
【図１２】本発明に係るカバーがスイングして完全に開かれた状態の参照図である。
【図１３】図１２のＢ−Ｂ’による断面図である。
【図１４】本発明に係る第３ストッパの作用を説明するための参照図である。
【図１５】本発明の変形実施形態に係るヒンジモジュールの分解斜視図である。
【図１６】本発明の変形実施形態に係るヒンジモジュールの動作を示す参照図である。
【図１７】本発明の変形実施形態に係るヒンジモジュールの動作を示す参照図である。
【図１８】本発明の変形実施形態に係るヒンジモジュールの動作を示す参照図である。
【図１９】本発明の変形実施形態に係るヒンジモジュールの動作を示す参照図である。
【符号の説明】
【００６９】
１００    メイン本体
２００    カバー
３００    ヒンジモジュール
３１０    支持部材
３１４、３１６、３２２、３４４    ストッパ
３２０    スイング回転体
３３０    スイングスプリング
３４０Ａ、３４０Ｂ    フォールディング回転体
【図１】
2009145958.tif 000003
【図２】
2009145958.tif 000004
【図３】
2009145958.tif 000005
【図４】
2009145958.tif 000006
【図５】
2009145958.tif 000007
【図６】
2009145958.tif 000008
【図７】
2009145958.tif 000009
【図８】
2009145958.tif 000010
【図９】
2009145958.tif 000011
【図１０】
2009145958.tif 000012
【図１１】
2009145958.tif 000013
【図１２】
2009145958.tif 000014
【図１３】
2009145958.tif 000015
【図１４】
2009145958.tif 000016
【図１５】
2009145958.tif 000017
【図１６】
2009145958.tif 000018
【図１７】
2009145958.tif 000019
【図１８】
2009145958.tif 000020
【図１９】
2009145958.tif 000021